【手続補正書】
【提出日】令和2年5月11日(2020.5.11)
【手続補正１】
【補正対象書類名】特許請求の範囲
【補正対象項目名】全文
【補正方法】変更
【補正の内容】
【特許請求の範囲】
【請求項１】
ネットワークエンティティにおいてインプリメントされるワイヤレス通信のための方法であって、
前記ネットワークエンティティにおいて、ユーザ装置（ＵＥ）とペアにされた周辺デバイスのための仮想加入者情報モジュール（ＶＳＩＭ）プロファイルを割り振るための要求を前記ＵＥから受信することと、
前記要求に部分的に基づいて、前記ＵＥのモバイルデバイスアイデンティフィケーションを決定することと、
前記ＵＥの前記モバイルデバイスアイデンティフィケーションに基づいて、前記周辺デバイスに仮想識別子を割り振ることと、
前記ネットワークエンティティから前記ＵＥに、前記ペアにされた周辺デバイスのための前記仮想識別子を送信することと、
前記ネットワークエンティティにおいて、前記ＵＥから補足サービスメッセージを受信することと、ここにおいて、前記補足サービスメッセージは、前記ＵＥとペアにされた複数の周辺デバイスからのアクティブな周辺デバイスの各々を識別する、
前記補足サービスメッセージに少なくとも部分的に基づいて、ネットワークルーティングセッティングを更新することと、
前記補足サービスメッセージを受信することに応答して、補足サービスアクノレッジメントを送信することと、
を備える、方法。
【請求項２】
前記補足サービスメッセージは、前記ＵＥとペアにされた周辺デバイスの優先順位リストをさらに含む、請求項１に記載の方法。
【請求項３】
前記ネットワークエンティティにおいて、前記ＵＥから、分離メッセージを受信することと、
前記分離メッセージに少なくとも部分的に基づいて、ルーティングネットワークセッティングを更新することと、ここにおいて、前記ルーティングネットワークセッティングは、前記ＵＥに関連する通信が、前記ＵＥまたは前記周辺デバイスのいずれに送信されることになるかを識別する、
をさらに備える、請求項１に記載の方法。
【請求項４】
前記ネットワークエンティティにおいて、前記周辺デバイスからアタッチメッセージを受信することと、
前記アタッチメッセージに少なくとも部分的に基づいて、ルーティングネットワークセッティングを更新することと、
前記周辺デバイスが前記ネットワークエンティティにアタッチされるとき、パケットを、前記仮想識別子に基づいて、前記ＵＥを介してそれらをルーティングすることなく、前記ネットワークエンティティから前記周辺デバイスに送信することと、
をさらに備える、請求項１に記載の方法。
【請求項５】
前記ネットワークエンティティにおいて、前記ＵＥの関与なしに、前記周辺デバイスからコール開始要求を受信すること、
をさらに備える、請求項４に記載の方法。
【請求項６】
前記ＵＥの電話番号を前記周辺デバイスに割り振ること、
をさらに備える、請求項１に記載の方法。
【請求項７】
前記モバイルデバイスアイデンティフィケーションを前記周辺デバイスのそれぞれの識別子と相互に関連付けるルーティングテーブルを維持すること、
をさらに備える、請求項１に記載の方法。
【請求項８】
ユーザ装置（ＵＥ）においてインプリメントされるワイヤレス通信のための方法であって、
前記ＵＥと周辺デバイスとの間で通信を確立することと、
前記ＵＥにおいて、前記周辺デバイスから、仮想加入者情報モジュール（ＶＳＩＭ）プロファイルを求める要求を受信することと、
ネットワークエンティティに対して前記周辺デバイスのための前記ＶＳＩＭプロファイルを要求するために、前記ネットワークエンティティとデータコールを開始することと、
前記要求に応答して、前記ネットワークエンティティから仮想識別子を受信することと、
前記ＵＥから前記ネットワークエンティティに、前記ＵＥに関連する１つまたは複数のアクティブな周辺デバイスを識別する補足サービスメッセージを送信すること、
を備える、方法。
【請求項９】
前記ネットワークエンティティから前記仮想識別子を受信することに基づいて、仮想識別子周辺機器データベースを更新することと、
非セルラ短距離通信ネットワークを介して前記割り振られた仮想識別子を前記周辺デバイスに送信することと、
をさらに備える、請求項８に記載の方法。
【請求項１０】
前記補足サービスメッセージは、アクティブな周辺デバイスのサブセットがしきい値を超えるとき、周辺デバイスの優先順位リストをさらに含み、前記優先順位リストは、前記ネットワークエンティティが複数の前記周辺デバイスにコンタクトするべき順序を識別する、請求項８に記載の方法。
【請求項１１】
１つまたは複数の第１のトリガが満たされたと決定することと、ここにおいて、前記１つまたは複数の第１のトリガは、前記ＵＥと前記周辺機器との間の近接間隔がしきい値を超えることのインジケーションを含む、
前記決定に基づいて、前記ネットワークから分離する意向を示す分離メッセージを前記ネットワークエンティティに送信することと、
前記分離メッセージを送信することに応答して、電力節約モードに入ることと、
をさらに備える、請求項８に記載の方法。
【請求項１２】
１つまたは複数の第２のトリガが満たされたと決定することと、ここにおいて、前記１つまたは複数の第２のトリガは、前記ＵＥと前記周辺機器との間の近接間隔が前記しきい値より狭いことのインジケーションを含む、
再アタッチメッセージを前記ネットワークエンティティに送信することと、ここにおいて、前記ＵＥは、再アタッチプロシージャの完了に基づいて、前記ネットワークエンティティとの通信を再開する、
をさらに備える、請求項１１に記載の方法。
【請求項１３】
ネットワークエンティティにおいてインプリメントされるワイヤレス通信のための装置であって、
前記ネットワークエンティティにおいて、ユーザ装置（ＵＥ）とペアにされた周辺デバイスのための仮想加入者情報モジュール（ＶＳＩＭ）プロファイルを割り振るための要求を前記ＵＥから受信するための手段と、
前記要求に部分的に基づいて、前記ＵＥのモバイルデバイスアイデンティフィケーションを決定するための手段と、
前記ＵＥの前記モバイルデバイスアイデンティフィケーションに基づいて、前記周辺デバイスに仮想識別子を割り振るための手段と、
前記ネットワークエンティティから前記ＵＥに、前記ペアにされた周辺デバイスのための前記仮想識別子を送信するための手段と、
前記ＵＥから補足サービスメッセージを受信するための手段と、ここにおいて、前記補足サービスメッセージは、前記ＵＥとペアにされた複数の周辺デバイスからのアクティブな周辺デバイスの各々を識別する、
前記補足サービスメッセージに少なくとも部分的に基づいて、ネットワークルーティングセッティングを更新するための手段と、
前記補足サービスメッセージを受信することに応答して、補足サービスアクノレッジメントを送信することと、
を備える、装置。
【請求項１４】
ユーザ装置（ＵＥ）においてインプリメントされるワイヤレス通信のための装置であって、
前記ＵＥと周辺デバイスとの間で通信を確立するための手段と、
前記ＵＥにおいて、前記周辺デバイスから、仮想加入者情報モジュール（ＶＳＩＭ）プロファイルを求める要求を受信するための手段と、
ネットワークエンティティに対して前記周辺デバイスのための前記ＶＳＩＭプロファイルを要求するために、前記ネットワークエンティティとデータコールを開始するための手段と、
前記要求に応答して、前記ネットワークエンティティから仮想識別子を受信するための手段と、
前記ＵＥから前記ネットワークエンティティに、前記ＵＥに関連する１つまたは複数のアクティブな周辺デバイスを識別する補足サービスメッセージを送信するための手段と、
を備える、装置。
【請求項１５】
装置においてインプリメントされるワイヤレス通信のためのコンピュータ読み取り可能な媒体であって、
前記装置によって実行されたときに前記装置に請求項１−７または８−１２のいずれか１項にしたがった方法を実行させるコード
を備える、コンピュータ読み取り可能な媒体。
【手続補正２】
【補正対象書類名】明細書
【補正対象項目名】００９１
【補正方法】変更
【補正の内容】
【００９１】
[00100]  本開示の先の説明は、当業者が本開示を製造するまたは使用することを可能にするために提供されている。本開示への様々な修正は、当業者にとって容易に明らかとなり、ここに定義された一般原理は、本開示の範囲または精神から逸脱することなく、他のバリエーションに適用され得る。さらに、説明された態様および／または実施形態の要素は、単数形で説明され得るまたは特許請求され得るが、単数形への限定が明記されていない限り、複数形が考慮されている。さらに、任意の態様および／または実施形態の一部または全体は、そうでないと記載されていない限り、任意の他の態様および／または実施形態の一部または全体とともに利用され得る。したがって、本開示は、ここに説明された例および設計に限定されるべきではなく、ここに開示された原理および新規な特徴と一致する最も広い範囲を与えられるべきである。
以下に本願の出願当初の特許請求の範囲に記載された発明を付記する。
［Ｃ１］
ネットワークエンティティにおいてインプリメントされるワイヤレス通信のための方法であって、
前記ネットワークエンティティにおいて、ユーザ装置（ＵＥ）とペアにされた周辺デバイスのための仮想加入者情報モジュール（ＶＳＩＭ）プロファイルを割り振るための要求を前記ＵＥから受信することと、
前記要求に部分的に基づいて、前記ＵＥのモバイルデバイスアイデンティフィケーションを決定することと、
前記ＵＥの前記モバイルデバイスアイデンティフィケーションに基づいて、前記周辺デバイスに仮想識別子を割り振ることと、
前記ネットワークエンティティから前記ＵＥに、前記ペアにされた周辺デバイスのための前記仮想識別子を送信することと、
を備える、方法。
［Ｃ２］
前記ネットワークエンティティにおいて、前記ＵＥから補足サービスメッセージを受信することと、ここにおいて、前記補足サービスメッセージは、前記ＵＥとペアにされた複数の周辺デバイスからのアクティブな周辺デバイスの各々を識別する、
前記補足サービスメッセージに少なくとも部分的に基づいて、ネットワークルーティングセッティングを更新することと、
前記補足サービスメッセージを受信することに応答して、補足サービスアクノレッジメントを送信することと、
をさらに備える、Ｃ１に記載の方法。
［Ｃ３］
前記補足サービスメッセージは、前記ＵＥとペアにされた周辺デバイスの優先順位リストをさらに含む、Ｃ２に記載の方法。
［Ｃ４］
前記ネットワークエンティティにおいて、前記ＵＥから、分離メッセージを受信することと、
前記分離メッセージに少なくとも部分的に基づいて、ルーティングネットワークセッティングを更新することと、ここにおいて、前記ルーティングネットワークセッティングは、前記ＵＥに関連する通信が、前記ＵＥまたは前記周辺デバイスのいずれに送信されることになるかを識別する、
をさらに備える、Ｃ１に記載の方法。
［Ｃ５］
前記ネットワークエンティティにおいて、前記周辺デバイスからアタッチメッセージを受信することと、
前記アタッチメッセージに少なくとも部分的に基づいて、ルーティングネットワークセッティングを更新することと、
前記周辺デバイスが前記ネットワークエンティティにアタッチされるとき、パケットを、前記仮想識別子に基づいて、前記ＵＥを介してそれらをルーティングすることなく、前記ネットワークエンティティから前記周辺デバイスに送信することと、
をさらに備える、Ｃ１に記載の方法。
［Ｃ６］
前記ネットワークエンティティにおいて、前記ＵＥの関与なしに、前記周辺デバイスからコール開始要求を受信すること、
をさらに備える、Ｃ５に記載の方法。
［Ｃ７］
前記ＵＥの電話番号を前記周辺デバイスに割り振ること、
をさらに備える、Ｃ１に記載の方法。
［Ｃ８］
前記モバイルデバイスアイデンティフィケーションを前記周辺デバイスのそれぞれの識別子と相互に関連付けるルーティングテーブルを維持すること、
をさらに備える、Ｃ１に記載の方法。
［Ｃ９］
前記仮想識別子は、仮想国際モバイル加入者アイデンティティ（ＶＩＭＳＩ）である、Ｃ１に記載の方法。
［Ｃ１０］
ユーザ装置（ＵＥ）においてインプリメントされるワイヤレス通信のための方法であって、
前記ＵＥと周辺デバイスとの間で通信を確立することと、
前記ＵＥにおいて、前記周辺デバイスから、仮想加入者情報モジュール（ＶＳＩＭ）プロファイルを求める要求を受信することと、
ネットワークエンティティに対して前記周辺デバイスのための前記ＶＳＩＭプロファイルを要求するために、前記ネットワークエンティティとデータコールを開始することと、  前記要求に応答して、前記ネットワークエンティティから仮想識別子を受信することと、
を備える、方法。
［Ｃ１１］
前記ネットワークエンティティから前記仮想識別子を受信することに基づいて、仮想識別子周辺機器データベースを更新することと、
非セルラ短距離通信ネットワークを介して前記割り振られた仮想識別子を前記周辺デバイスに送信することと、
をさらに備える、Ｃ１０に記載の方法。
［Ｃ１２］
前記ＵＥから前記ネットワークエンティティに、前記ＵＥに関連する１つまたは複数のアクティブな周辺デバイスを識別する補足サービスメッセージを送信すること、
をさらに備える、Ｃ１０に記載の方法。
［Ｃ１３］
前記補足サービスメッセージは、アクティブな周辺デバイスのサブセットがしきい値を超えるとき、周辺デバイスの優先順位リストをさらに含み、前記優先順位リストは、前記ネットワークエンティティが複数の前記周辺デバイスにコンタクトするべき順序を識別する、Ｃ１２に記載の方法。
［Ｃ１４］
１つまたは複数の第１のトリガが満たされたと決定することと、ここにおいて、前記１つまたは複数の第１のトリガは、前記ＵＥと前記周辺機器との間の近接間隔がしきい値を超えることのインジケーションを含む、
前記決定に基づいて、前記ネットワークから分離する意向を示す分離メッセージを前記ネットワークエンティティに送信することと、
前記分離メッセージを送信することに応答して、電力節約モードに入ることと、
をさらに備える、Ｃ１０に記載の方法。
［Ｃ１５］
１つまたは複数の第２のトリガが満たされたと決定することと、ここにおいて、前記１つまたは複数の第２のトリガは、前記ＵＥと前記周辺機器との間の近接間隔が前記しきい値より狭いことのインジケーションを含む、
再アタッチメッセージを前記ネットワークエンティティに送信することと、ここにおいて、前記ＵＥは、再アタッチプロシージャの完了に基づいて、前記ネットワークエンティティとの通信を再開する、
をさらに備える、Ｃ１４に記載の方法。
［Ｃ１６］
前記ＵＥは、非セルラ短距離技術を介して前記周辺デバイスと通信することを再開し、前記周辺デバイスは、前記１つまたは複数の第２のトリガが満たされたとの決定に応答して、前記ネットワークエンティティから分離し、およびそれのセルラモデムをオフにする、Ｃ１５に記載の方法。
［Ｃ１７］
前記仮想識別子は、仮想国際モバイル加入者アイデンティティ（ＶＩＭＳＩ）である、Ｃ１０に記載の方法。
［Ｃ１８］
ネットワークエンティティにおいてインプリメントされるワイヤレス通信のための装置であって、
プロセッサと、
前記プロセッサに結合されたメモリと、
を備え、ここにおいて、前記メモリは、
前記ネットワークエンティティにおいて、ユーザ装置（ＵＥ）とペアにされた周辺デバイスのための仮想加入者情報モジュール（ＶＳＩＭ）プロファイルを割り振るための要求を前記ＵＥから受信することと、
前記要求に部分的に基づいて、前記ＵＥのモバイルデバイスアイデンティフィケーションを決定することと、
前記ＵＥの前記モバイルデバイスアイデンティフィケーションに基づいて、前記周辺デバイスに仮想識別子を割り振ることと、
前記ネットワークエンティティから前記ＵＥに、前記ペアにされた周辺デバイスのための前記仮想識別子を送信することと、
のために前記プロセッサによって実行可能な命令を含む、
装置。
［Ｃ１９］
前記命令は、
前記ネットワークエンティティにおいて、前記ＵＥから補足サービスメッセージを受信することと、ここにおいて、前記補足サービスメッセージは、前記ＵＥとペアにされた複数の周辺デバイスからのアクティブな周辺デバイスの各々を識別する、
前記補足サービスメッセージに少なくとも部分的に基づいて、ネットワークルーティングセッティングを更新することと、
前記補足サービスメッセージを受信することに応答して、補足サービスアクノレッジメントを送信することと、
のためにさらに実行可能である、Ｃ１８に記載の装置。
［Ｃ２０］
前記補足サービスメッセージは、前記ＵＥとペアにされた周辺デバイスの優先順位リストをさらに含む、Ｃ１９に記載の装置。
［Ｃ２１］
前記命令は、
前記ネットワークエンティティにおいて、前記ＵＥから、分離メッセージを受信することと、
前記分離メッセージに少なくとも部分的に基づいて、ルーティングネットワークセッティングを更新することと、ここにおいて、前記ルーティングネットワークセッティングは、前記ＵＥに関連する通信が、前記ＵＥまたは前記周辺デバイスのいずれに送信されることになるかを識別する、
のためにさらに実行可能である、Ｃ１８に記載の装置。
［Ｃ２２］
前記命令は、
前記ネットワークエンティティにおいて、前記周辺デバイスからアタッチメッセージを受信することと、
前記アタッチメッセージに少なくとも部分的に基づいて、ルーティングネットワークセッティングを更新することと、
前記周辺デバイスが前記ネットワークエンティティにアタッチされるとき、パケットを、前記仮想識別子に基づいて、前記ＵＥを介してそれらをルーティングすることなく、前記ネットワークエンティティから前記周辺デバイスに送信することと、
のためにさらに実行可能である、Ｃ１８に記載の装置。
［Ｃ２３］
前記命令は、
前記ネットワークエンティティにおいて、前記ＵＥの関与なしに、前記周辺デバイスからコール開始要求を受信すること、
のためにさらに実行可能である、Ｃ２２に記載の装置。
［Ｃ２４］
前記命令は、
前記ＵＥの電話番号を前記周辺デバイスに割り振ること、
のためにさらに実行可能である、Ｃ１８に記載の装置。
［Ｃ２５］
前記命令は、
前記モバイルデバイスアイデンティフィケーションを前記周辺デバイスのそれぞれの識別子と相互に関連付けるルーティングテーブルを維持すること、
のためにさらに実行可能である、Ｃ１８に記載の装置。
［Ｃ２６］
前記仮想識別子は、仮想国際モバイル加入者アイデンティティ（ＶＩＭＳＩ）である、Ｃ１８に記載の装置。
［Ｃ２７］
ワイヤレス通信のためのユーザ装置（ＵＥ）であって、
プロセッサと、
前記プロセッサに結合されたメモリと、
を備え、ここにおいて、前記メモリは、
前記ＵＥと周辺デバイスとの間で通信を確立することと、
前記ＵＥにおいて、前記周辺デバイスから、仮想加入者情報モジュール（ＶＳＩＭ）プロファイルを求める要求を受信することと、
ネットワークエンティティに対して前記周辺デバイスのための前記ＶＳＩＭプロファイルを要求するために、前記ネットワークエンティティとデータコールを開始することと、
前記要求に応答して、前記ネットワークエンティティから仮想識別子を受信することと、
のために前記プロセッサによって実行可能な命令を含む、
ＵＥ。
［Ｃ２８］
前記命令は、
前記ネットワークエンティティから前記仮想識別子を受信することに基づいて、仮想識別子周辺機器データベースを更新することと、
非セルラ短距離通信ネットワークを介して前記割り振られた仮想識別子を前記周辺デバイスに送信することと、
のために前記プロセッサによってさらに実行可能である、Ｃ２７に記載のＵＥ。
［Ｃ２９］
前記命令は、
前記ＵＥから前記ネットワークエンティティに、前記ＵＥに関連する１つまたは複数のアクティブな周辺デバイスを識別する補足サービスメッセージを送信すること、
のために前記プロセッサによってさらに実行可能である、Ｃ２７に記載のＵＥ。
［Ｃ３０］
前記補足サービスメッセージは、アクティブな周辺デバイスのサブセットがしきい値を超えるとき、周辺デバイスの優先順位リストをさらに含み、前記優先順位リストは、前記ネットワークエンティティが複数の前記周辺デバイスにコンタクトするべき順序を識別する、Ｃ２９に記載のＵＥ。
［Ｃ３１］
前記命令は、
１つまたは複数の第１のトリガが満たされたと決定することと、ここにおいて、前記１つまたは複数の第１のトリガは、前記ＵＥと前記周辺機器との間の近接間隔がしきい値を超えることのインジケーションを含む、
前記決定に基づいて、前記ネットワークから分離する意向を示す分離メッセージを前記ネットワークエンティティに送信することと、
前記分離メッセージを送信することに応答して、電力節約モードに入ることと、
のために前記プロセッサによってさらに実行可能である、Ｃ２７に記載のＵＥ。
［Ｃ３２］
前記命令は、
１つまたは複数の第２のトリガが満たされたと決定することと、ここにおいて、前記１つまたは複数の第２のトリガは、前記ＵＥと前記周辺機器との間の近接間隔が前記しきい値より狭いことのインジケーションを含む、
再アタッチメッセージを前記ネットワークエンティティに送信することと、ここにおいて、前記ＵＥは、再アタッチプロシージャの完了に基づいて、前記ネットワークエンティティとの通信を再開する、
のために前記プロセッサによってさらに実行可能である、Ｃ２７に記載のＵＥ。
［Ｃ３３］
前記ＵＥは、非セルラ短距離技術を介して前記周辺デバイスと通信することを再開し、前記周辺デバイスは、前記１つまたは複数の第２のトリガが満たされたとの決定に応答して、前記ネットワークエンティティから分離し、およびそれのセルラモデムをオフにする、Ｃ２７に記載のＵＥ。
［Ｃ３４］
前記仮想識別子は、仮想国際モバイル加入者アイデンティティ（ＶＩＭＳＩ）である、Ｃ２７に記載のＵＥ。
［Ｃ３５］
ネットワークエンティティにおいてインプリメントされるワイヤレス通信のための装置であって、
前記ネットワークエンティティにおいて、ユーザ装置（ＵＥ）とペアにされた周辺デバイスのための仮想加入者情報モジュール（ＶＳＩＭ）プロファイルを割り振るための要求を前記ＵＥから受信するための手段と、
前記要求に部分的に基づいて、前記ＵＥのモバイルデバイスアイデンティフィケーションを決定するための手段と、
前記ＵＥの前記モバイルデバイスアイデンティフィケーションに基づいて、前記周辺デバイスに仮想識別子を割り振るための手段と、
前記ネットワークエンティティから前記ＵＥに、前記ペアにされた周辺デバイスのための前記仮想識別子を送信するための手段と、
を備える、装置。
［Ｃ３６］
ユーザ装置（ＵＥ）においてインプリメントされるワイヤレス通信のための装置であって、
前記ＵＥと周辺デバイスとの間で通信を確立するための手段と、
前記ＵＥにおいて、前記周辺デバイスから、仮想加入者情報モジュール（ＶＳＩＭ）プロファイルを求める要求を受信するための手段と、
ネットワークエンティティに対して前記周辺デバイスのための前記ＶＳＩＭプロファイルを要求するために、前記ネットワークエンティティとデータコールを開始するための手段と、
前記要求に応答して、前記ネットワークエンティティから仮想識別子を受信するための手段と、
を備える、装置。
［Ｃ３７］
ネットワークエンティティにおいてインプリメントされるワイヤレス通信のためのコンピュータ読み取り可能な媒体であって、
前記ネットワークエンティティにおいて、ユーザ装置（ＵＥ）とペアにされた周辺デバイスのための仮想加入者情報モジュール（ＶＳＩＭ）プロファイルを割り振るための要求を前記ＵＥから受信するためのコードと、
前記要求に部分的に基づいて、前記ＵＥのモバイルデバイスアイデンティフィケーションを決定するためのコードと、
前記ＵＥの前記モバイルデバイスアイデンティフィケーションに基づいて、前記周辺デバイスに仮想識別子を割り振るためのコードと、
前記ネットワークエンティティから前記ＵＥに、前記ペアにされた周辺デバイスのための前記仮想識別子を送信するためのコードと、
を備える、コンピュータ読み取り可能な媒体。
［Ｃ３８］
ユーザ装置（ＵＥ）においてインプリメントされるワイヤレス通信のためのコンピュータ読み取り可能な媒体であって、
前記ＵＥと周辺デバイスとの間で通信を確立するためのコードと、
前記ＵＥにおいて、前記周辺デバイスから、仮想加入者情報モジュール（ＶＳＩＭ）プロファイルを求める要求を受信するためのコードと、
ネットワークエンティティに対して前記周辺デバイスのための前記ＶＳＩＭプロファイルを要求するために、前記ネットワークエンティティとデータコールを開始するためのコードと、
前記要求に応答して、前記ネットワークエンティティから仮想識別子を受信するためのコードと、
を備える、コンピュータ読み取り可能な媒体。